(57)【特許請求の範囲】
【請求項１】
磁力を利用して義歯やブリッジ等の上部補綴物を口腔内に着脱自在に装着するべく顎骨内に埋設したインプラント上に固定される磁性部材用ホルダーと、該磁性部材用ホルダーに嵌合されるキーパー磁性部材とを備えたインプラント部材であって、
前記磁性部材用ホルダーは、球状の壁周面を有するポケットが上端部に形成され、
前記キーパー磁性部材は、球の一部を輪切り状に切り出した形状をなし、前記ポケットの壁周面に対応した球状である側面を有し、該側面を前記壁周面と当接させて前記ポケットに回動自在に嵌合され、
該嵌合状態における前記キーパー磁性部材の下方には接着剤を充填するための充填空間が設けられており、
最適な咬合位置にて前記ポケットに前記キーパー磁性部材を接着固定するようにしたインプラント部材。
【請求項２】
磁力を利用して義歯やブリッジ等の上部補綴物を口腔内に着脱自在に装着するべく顎骨内に埋設したインプラント上に固定される磁性部材用ホルダーと、該磁性部材用ホルダーに嵌合されるキーパー磁性部材と、該キーパー磁性部材を前記磁性部材用ホルダーに回動自在に固定するための固定用スクリューとを備え、
前記磁性部材用ホルダーは、球状の壁周面を有するポケットが上端部に形成され、前記ポケットの底面から下方に向かってねじ穴が形成され、前記ポケットの上端付近は上端に向かって徐々に肉厚が減少しており、
前記固定用スクリューの頭部は、球の一部を輪切り状に切り出した形状をなし、
前記キーパー磁性部材は、球の一部を輪切り状に切り出した形状をなし、前記ポケットの壁周面に対応した球状である側面を有し、上面から下面に貫通し上部に球状壁周面を有する貫通孔が穿設され、前記球状壁周面が前記固定用スクリューの頭部の側面に対応した球状であり、前記側面が前記ポケットの壁周面と当接するとともに前記球状壁周面が前記固定用スクリューの頭部の側面と当接して前記ポケットに回動自在に嵌合され、
最適な咬合位置にて前記ポケットに前記キーパー磁性部材を螺着固定するようにしたインプラント部材。
【発明の詳細な説明】
【０００１】
【発明の属する技術分野】
本発明は、顎骨内に埋設したインプラントに対し、義歯やブリッジ等の上部補綴物を着脱自在に装着するため、インプラント側と上部補綴物側のいずれか一方に磁石を、他方に磁石または磁性合金を対面状に配置する歯科補綴システム中、キーパー磁性部材を保持するためインプラント本体の上端に固定される歯科磁性部材用ホルダーに関するものである。
【０００２】
【従来の技術】
歯牙の補綴修復において、無歯顎などを補綴する際のデンチャーや、部分欠損部を修復する際のブリッジなどの補綴物を口腔内に維持するために、一般にはクリップタイプのアタッチメントを用いたり、或いは、天然歯を構成していた支台歯に上記補綴物をセメントで合着する方法が取られてきた。
【０００３】
前者の方法は、患者が日常的に補綴物を取り外し、清掃するのに適しているのに対して、後者では基本的に補綴物を取り外すことができないかわりに、強固な固定が可能となる。
【０００４】
デンチャータイプの補綴物に関しては軟組織部まで補綴が可能になるため、発音や、咀嚼、審美的な面が優れている。しかしながら、残存歯が残っているようなケースで金属製のクラスプ（爪状の機構）を用いている場合を除き、軟組織のアンダーカットや、デンチャーの粘膜面との吸着にその支持を頼らざるをえないので、支持力が顎堤の形状に左右されてしまう。一般に無歯顎に近づけば、歯根を維持していた歯槽突起部が廃用萎縮し、顎堤が吸収されてデンチャーの支持力が極端に低下することが問題であった。
【０００５】
また、インプラントを植立し且つ、デンチャータイプの補綴物を用いたもので、インプラントに固定された支台部などのアタッチメントと機械的に連結したものがあったが、これらは、セメントで合着したり、ネジで固定する前記固定式の補綴物とは支持形態としては大差がないものである。このタイプの補綴物の問題点としては、第一に、インプラントの本数を多く設定できない場合でインプラントに掛かる応力が過大になり、その結果、インプラントにルースニングが発生し易い問題があった。第二に、複数のインプラントの頂部をメタルバーで連結し、これをデンチャー粘膜面に設置したクリップで保持するバーアタッチメントでは、バー下面などを清掃し難いという問題があった。
【０００６】
そこで、これらの問題を解決するために、インプラントなどにステンレスなどのキーパー磁性部材を装着し、他方、デンチャー粘膜面に上記クリップの替わりに磁石を配し、その間の磁力による吸引力でデンチャーを定位置に保持する補綴形態が用いられるようになった。このような補綴物として、例えば、インプラントを結ぶバーに磁石や磁性合金などからなるキーパー磁性部材を鋳込んだものや、別途インプラントに垂直なスクリューで装着されるカバーキャップなどに、例えば、チタン金属製のキャップに融点の低い金合金などで磁性合金を鋳くるむことにより接合したものや、インプラントの頭部に凹設したポケット内にセメントでキーパー磁性部材を固着したものなどが試されてきた。
【０００７】
【発明が解決しようとする課題】
しかしながら、上記磁性合金を用いた補綴では、キーパー磁性部材の着合面を完全に平行に設置することが難しく、そのため、インプラントに大きな応力が加わってしまうこととなり、骨吸収やルーズニングなどの重大な問題の原因となることがあった。また、キーパー磁性部材が可轍式ではなかったので、ＭＲＩなどによる顎顔面頭蓋頚部領域の病変の診断に際しても、アーチファクトの発生が問題となっていた。  そこで上記鑑み、本発明は、インプラント本体を咬合平面に対する垂直軸から方向違いに固定した場合や、複数のインプラント本体を植設する場合などにキーパーの着合面を最適方向に設定し、もって最適な咬合位置で上記ポケットにキーパー磁性部材を接着固定するようにすること、および、例えば、ＭＲＩなどによる顎顔面頭蓋頚部領域の病変の診断に際しても、必要に応じてキーパー磁性部材を容易に取り外すことができ、診断時のアーチファクトの発生を避けることができるようにすることを課題とする。
【０００８】
【課題を解決するための手段】
上記課題を解決するための本発明のインプラント部材は、磁力を利用して義歯やブリッジ等の上部補綴物を口腔内に着脱自在に装着するべく顎骨内に埋設したインプラント上に固定される磁性部材用ホルダーと、該磁性部材用ホルダーに嵌合されるキーパー磁性部材とを備えたインプラント部材であって、前記磁性部材用ホルダーは、球状の壁周面を有するポケットが上端部に形成され、前記キーパー磁性部材は、球の一部を輪切り状に切り出した形状をなし、前記ポケットの壁周面に対応した球状である側面を有し、該側面を前記壁周面と当接させて前記ポケットに回動自在に嵌合され、該嵌合状態における前記キーパー磁性部材の下方には接着剤を充填するための充填空間が設けられており、最適な咬合位置にて前記ポケットに前記キーパー磁性部材を接着固定するようにしたことを特徴とする。
【０００９】
さらに本発明のインプラント部材は、磁力を利用して義歯やブリッジ等の上部補綴物を口腔内に着脱自在に装着するべく顎骨内に埋設したインプラント上に固定される磁性部材用ホルダーと、該磁性部材用ホルダーに嵌合されるキーパー磁性部材と、該キーパー磁性部材を前記磁性部材用ホルダーに回動自在に固定するための固定用スクリューとを備え、前記磁性部材用ホルダーは、球状の壁周面を有するポケットが上端部に形成され、前記ポケットの底面から下方に向かってねじ穴が形成され、前記ポケットの上端付近は上端に向かって徐々に肉厚が減少しており、前記固定用スクリューの頭部は、球の一部を輪切り状に切り出した形状をなし、前記キーパー磁性部材は、球の一部を輪切り状に切り出した形状をなし、前記ポケットの壁周面に対応した球状である側面を有し、上面から下面に貫通し上部に球状壁周面を有する貫通孔が穿設され、前記球状壁周面が前記固定用スクリューの頭部の側面に対応した球状であり、前記側面が前記ポケットの壁周面と当接するとともに前記球状壁周面が前記固定用スクリューの頭部の側面と当接して前記ポケットに回動自在に嵌合され、最適な咬合位置にて前記ポケットに前記キーパー磁性部材を螺着固定するようにしたことを特徴とする。
【００１０】
【発明の実施の形態】
以下、本発明の実施形態を図によって説明する。
【００１１】
図１及び図２はそれぞれ、本発明の歯科磁性部材用ホルダーを搭載した歯科インプラント１の分解側面図と組立側面図であり、２は顎骨内に埋設するインプラント本体、３は上部構造取付けのため口腔内に突出する歯科磁性部材用ホルダー、４はインプラント本体２と歯科磁性部材用ホルダー３を結合するためのスクリュー、５は義歯やブリッジなど上部補綴物Ｃに装着される磁石や磁性合金などの磁性部材５´に着合すべく磁石や磁性合金からなるキーパー磁性部材である。なお、図２は図１の歯科インプラント１を組み立てたものであって、要部を破断して示した側面図である。
【００１２】
上記インプラント本体２は、顎骨の所定部位に専用の手術器具でもって穿設された下孔の孔壁にセルフタップするための構造を有する。すなわち、外周に雄ネジ２ａを備えるとともに、外周下端部に複数の切欠２ｂが形成されている。また、インプラント本体２には図２に示すように上端面２ｃに開口し且つ、軸線方向に設けられた嵌合穴２ｄが形成されている。
【００１３】
上記歯科磁性部材用ホルダー３は、下部分がインプラント本体２の嵌合穴２ｄに嵌合するべく小径の嵌入部３ａとなっており、回動防止のためにその下端に多角形状部３ｂを備えている。なお、図では明らかでないが上記インプラント本体２の嵌合穴２ｄも対応形状となっている。このような多角形構造を用いる利点として、回動防止した状態でインプラント本体２に歯科磁性部材用ホルダー３を結合し、適当な印象部材を用いることによって、口腔内の位置をそのまま転写することができ、石膏などで形成した口腔形状の模型を作製し、該模型上で歯科磁性部材用ホルダー３にキーパー磁性部材５を固定できることが挙げられる。
【００１４】
また図２に示すように、歯科磁性部材用ホルダー３は前記スクリュー４によりインプラント本体２と歯科磁性部材用ホルダー３を結合すべく軸線方向の貫通孔３ｃを備えるとともに、その上端部位に磁性合金からなるキーパー磁性部材５を固定するためのポケット６が形成されている。このポケット６は、球の一部を輪切り状に切り出した形状を成し、したがって球状の壁周面６ａを備えている。他方、キーパー磁性部材５も同じ球の一部を輪切り状に切り出した形状であって、その側面もこの壁周面６ａに対応した球状となっており、硬化前の骨セメントやレジンなどの接着剤７を下方に充填させた状態で、キーパー磁性部材５を一定角度範囲内で傾かせることによりキーパー磁性部材５の着合面５ａの方向を調整し、その後、上記接着剤７が硬化してキーパー磁性部材５の方向が固定される。
【００１５】
歯科磁性部材用ホルダー３をこのように構成する利点としては、ポケット６の壁周面６ａが球の一部をなす形状であるので、キーパー磁性部材５の側面を対応形状とすることにより、中心座標まわりのローテーションとこれに垂直な面での傾斜角度の調整が球状壁周面にガイドされることにより極めて容易にでき、且つ、微調整が可能であることが挙げられる。したがって、インプラント本体２を咬合平面に対する垂直軸から方向違いに固定した場合や、複数のインプラント本体２を植設する場合などにキーパー磁性部材５の着合面５ａを最適の咬合位置にて接着固定することができる。
【００１６】
なお、上記歯科インプラント１の構成部材、インプラント本体２、歯科磁性部材用ホルダー３、スクリュー４は、チタン合金など生体為害性のない金属材料より構成することが好ましい。
【００１７】
次に、図３は前記歯科磁性部材用ホルダー３の別形態を示し、ここでは歯科磁性部材用ホルダー３の上端をねじ付きキャップ３ｄとし、本体に螺着する構造とし、このキャップ３ｄの上端部に前記ポケット６を形成した。ここで、キーパー磁性部材５とキャップ３ｄを結合するためのスクリュー８は、頭部８ａが球の一部を輪切り状に切り出してなる形状であり、他方、前記キーパー磁性部材５の中心軸方向に設けたスクリュー係合用の貫通孔５ｂの上側には、対応する球状壁周面５ｃを設けている。したがって、上記スクリュー８の頭部８ａに対しキーパー磁性部材５が中心座標軸まわりにローティーションし且つ上下方向にも揺動可能である。ちなみに図３（ａ）は、キーパー磁性部材５を水平にした状態であり、同図（ｂ）はキーパー磁性部材５を傾けた状態をそれぞれ示している。
【００１８】
なお、歯科磁性部材用ホルダー３（キャップ３ｄ）の外周上端部は上端に向かって徐々に径が減じるようになっている。これにより、上部構造の脱着に対してアンダーカットが生じることのないようにする作用がある他、この部分がバネ性を持ち、スクリュー８を強く締め込むことによって、キーパー磁性部材５を所定傾斜位置に固着することができる。
【００１９】
このようにキーパー磁性部材５と歯科磁性部材用ホルダー３をスクリュー８で結合し、スクリュー８の頭部８ａとキーパー磁性部材５を球形状を利用した係合とすることによる利点としては、前述のように中心座標まわりのローテーションとこれに垂直な面での傾斜角度の調整が球状壁周面にガイドされることにより極めて容易にでき、且つ、微調整が可能であることに加えて、骨セメントやレジンなどの接着剤を用いずにキーパー磁性部材５を設置できるので、例えば、ＭＲＩなどによる顎顔面頭蓋頚部領域の病変の診断に際しても、必要に応じてキーパー磁性部材５を容易に取り外すことができ、診断時のアーチファクトの発生を避けることができることが挙げられる。
【００２０】
以上、本発明の実施形態の例を図により説明したが、本発明は上記実施形態に限定されるものでなく、例えば、前記キーパー磁性部材の周囲にリン酸カルシウム材やアルミナなどのバイオセラミックスをコーティングすることにより、生体に対する安全性を高めるなど、発明の目的を逸脱しない限り、任意の形態とすることができることは言うまでもない。
【００２１】
【発明の効果】
叙上のように本発明は、顎骨内に埋設したインプラント上に固定する磁性部材用ホルダーにおいて、上面に備えたポケットとこれに嵌合するキーパー磁性部材とが互いに当接する面を回動自在の球状となしたので、最適な咬合位置にて上記ポケットにキーパー磁性部材を接着固定できる。
【００２２】
また、本発明によれば、上記磁性部材用ホルダーにおいて、上面に備えたポケット内にキーパー磁性部材を螺着する固定用スクリューを備え、且つ、該固定用スクリューの頭部とキーパー磁性部材の当接する面を回動自在の球状となしたことにより、最適な咬合位置にて上記ポケットにキーパー磁性部材を固定するようことができ、さらに、骨セメントやレジンなどの接着剤を用いずに磁性部材を設置できるので、例えば、ＭＲＩなどによる顎顔面頭蓋頚部領域の病変の診断に際しても、必要に応じて磁性部材を容易に取り外すことができ、診断時のアーチファクトの発生を避けることができる。
【００２３】
以上のように、本発明は極めて優れた効果を奏するものである。
【図面の簡単な説明】
【図１】本発明の歯科磁性部材用ホルダーを搭載した歯科インプラントの分解側面図である。
【図２】図１の歯科インプラントを組み立てたものであって、要部を破断して示した側面図である。
【図３】（ａ）、（ｂ）は、別形態による本発明の歯科磁性部材用ホルダーの断面図である。
【符号の説明】
１                歯科インプラント
２                インプラント本体
３                歯科磁性部材用ホルダー
４、８            スクリュー
５                磁性部材
６                ポケット
７                接着剤
２ａ              雄ネジ
２ｂ              切欠
２ｃ              上端面
２ｄ              嵌合穴
３ａ              嵌入部
３ｂ              多角形状部
３ｃ、５ｂ        貫通孔
３ｄ              キャップ
５ａ              着合面
５ｃ              球状壁周面
６ａ              壁周面
８ａ              頭部
【図１】
0003652873.tif 000002
【図２】
0003652873.tif 000003
【図３】
0003652873.tif 000004